(57)【特許請求の範囲】
【請求項１】
電源が供給される端子を有する機器本体と、
前記機器本体に対して着脱可能に設けられ、前記機器本体の前記端子と接触する端子接触部が一側面に設けられたバッテリと、
前記機器本体に対して着脱可能に設けられ、前記機器本体に取り付けられたバッテリの、前記端子接触部が設けられた一側面と対向する対向側面と、前記一側面及び対向側面の間の底面と、を覆うバッテリカバーと、を備え、
前記バッテリカバーを前記機器本体に取り付けるために、前記機器本体に対して前記バッテリカバーを相対的に前記バッテリの前記底面と垂直な方向にスライド移動させることで、前記機器本体と係止する係止機構がバッテリカバーに設けられ、
前記係止機構が、
前記スライド移動中に前記機器本体と当接することで前記バッテリの前記一側面から前記対向側面に向かう第１の方向に移動する第１の係止部と
前記第１の係止部の前記第１の方向の移動に連動する第２の係止部と、を備え、
前記第１及び第２の係止部が、前記第１の方向と反対方向に突出した第１及び第２のツメ部をそれぞれ備え、
前記係止機構が前記バッテリカバーの前記底面を覆う底面カバー部に取り付けられ、
前記第１の係止部及び前記第２の係止部のそれぞれが、２つ設けられ、
２つの前記第１の係止部と、２つの前記第２の係止部が連動して、前記第１の方向に移動し、
２つの前記第１の係止部と、２つの前記第２の係止部が、前記第１の方向に移動した後、前記第１の方向と反対方向に移動することで、前記第１及び第２のツメ部が、前記機器本体に設けられた第１及び第２の凹部にそれぞれ挿入される電子機器。
【請求項２】
前記第１の係止部と前記第２の係止部とを前記第１の方向と反対方向に付勢するトーションスプリングを、さらに備える請求項１に記載の電子機器。
【請求項３】
前記バッテリカバーには、前記対向側面を覆う側面カバー部が設けられ、
前記側面カバー部には、前記機器本体に対する前記バッテリカバーの第１の方向の動きを規制する第３の係止部と第４の係止部が設けられ、
前記第３の係止部と第４の係止部が、スライド移動方向に並んで配置されている請求項１、又は２に記載の電子機器。
【発明の詳細な説明】
【技術分野】
【０００１】
本発明は、電子機器に関し、特に詳しくは、機器本体に着脱可能に設けられたバッテリを有する電子機器に関する。
【背景技術】
【０００２】
デジタルカメラなどの携帯型電子機器の電源には、通常、バッテリが用いられる。特許文献１には、出力端子が、底面と端面の二面に露出しているバッテリパックが開示されている。さらに、携帯型ビデオカメラ等の電子機器においては、一側面のみに端子が設けられたバッテリパックが利用されることがある（例えば、特許文献２）。
【先行技術文献】
【特許文献】
【０００３】
【特許文献１】特開平８−２９８１０４号公報
【特許文献２】特開平７−３３５１８７号公報
【発明の概要】
【発明が解決しようとする課題】
【０００４】
特許文献２の電子機器では、装着されたバッテリパックが外部に露出する構成となっている。従って、使用中に、バッテリパックが脱落してしまったり、バッテリパックが損傷してしまうという恐れがある。このように、特許文献２の電子機器では、バッテリパックが露出しているという問題点がある。
【０００５】
本発明は、上記の課題に鑑みてなされたものであり、バッテリパックを保持するバッテリカバーを容易に取り付けることができる電子機器を提供することを目的とする。
【課題を解決するための手段】
【０００６】
本発明の一態様にかかる電子機器は、電源が供給される端子を有する機器本体と、前記機器本体に対して着脱可能に設けられ、前記機器本体の端子と接触する端子接触部が一側面に設けられたバッテリと、前記機器本体に対して着脱可能に設けられ、前記機器本体に取り付けられたバッテリの、前記端子接触部が設けられた一側面と対向する対向側面と、前記一側面及び対向側面の間の底面と、を覆うバッテリカバーと、を備えるものである。これにより、バッテリカバーを容易に取り付けることができる。
上記の電子機器において、前記バッテリカバーを前記機器本体に取り付けるために、前記機器本体に対して前記バッテリカバーを相対的にスライド移動させることで、前記機器本体と係止する係止機構がバッテリカバーに設けられ、前記係止機構が、前記スライド移動中に前記機器本体と当接することで第１の方向に移動する第１の係止部と、前記第１の係止部の前記第１の方向の移動に連動する第２の係止部と、を備え、前記第１及び第２の係止部が、前記第１の方向と反対方向に突出したツメ部を備えていてもよい。これにより、バッテリカバーを確実かつ容易に取り付けることができる
上記の電子機器において、前記第１の係止部及び前記第２の係止部のそれぞれが、２つ設けられ、２つの前記第１の係止部と、２つの前記第２の係止部が連動して、前記第１の方向に移動し、２つの前記第１の係止部と、２つの前記第２の係止部が、前記第１の方向に移動した後、前記第１の方向と反対方向に移動することで、前記第１及び第２のツメ部が、前記機器本体に設けられた第１及び第２の凹部にそれぞれ挿入されてもよい。これにより、バッテリカバーを確実に取り付けることができる。
上記の電子機器において、前記第１の係止部と前記第２の係止部とを前記第１の方向と反対方向に付勢するトーションスプリングを、さらに備えていてもよい。これにより、係止機構を薄くすることができ、バッテリカバーを小型にすることができる。
上記の電子機器において、前記バッテリカバーには、前記対向側面を覆う側面カバー部が設けられ、前記側面カバー部には、前記機器本体に対する前記バッテリカバーの第１の方向の動きを規制する第３の係止部と第４の係止部が設けられ、前記第３の係止部と第４の係止部が、スライド移動方向に並んで配置されているが設けられていてもよい。これにより、バッテリカバーを確実に取り付けることができる。
上記の電子機器において、前記係止機構が、前記バッテリカバーの前記底面を覆う底面カバー部に取り付けられていてもよい。これにより、係止機構を薄くすることができ、バッテリカバーを小型にすることができる。
上記の電子機器において、前記係止機構には、前記第１の係止部と前記第２の係止部の係止を開放するノブが設けられていてもよい。これにより、簡便に係止を開放することができるため、容易に取り外すことができる。
上記の電子機器は、前記バッテリが前記機器本体と係止して、固定される電子機器に好適である。
【発明の効果】
【０００７】
本発明によれば、バッテリカバーを容易に取り付けることができる電子機器を提供することができる。
【図面の簡単な説明】
【０００８】
【図１】本実施形態に係るカメラにおいて、バッテリを取り外す様子を示す斜視図である。
【図２】カメラのバッテリカバーの構成を示す図である。
【図３】カメラのバッテリの構成を示す図である。
【図４】カメラのカメラ本体の一部構成を示す斜視図である。
【図５】カメラ本体のバッテリ収納部の構成を示す正面図である。
【図６】カメラ本体にバッテリを固定するための構成を示す側面図である。
【図７】バッテリが取り外された状態のカメラ本体の構成を示す底面図である
【図８】バッテリカバーを係止する構成を示す側面図である。
【図９】係止機構の構成を示す上面図である。
【図１０】バッテリカバーとカメラ本体との係止動作を模式的に示す側面図である。
【発明を実施するための形態】
【０００９】
以下、本発明の実施の形態について図面を参照して説明する。以下の説明は、本発明の好適な実施の形態を示すものであって、本発明の範囲が以下の実施の形態に限定されるものではない。以下の説明において、同一の符号が付されたものは実質的に同様の内容を示している。
【００１０】
本実施の形態に係る電子機器の一例であるカメラについて、図１を用いて説明する。図１は、カメラからバッテリを取り外す様子を示す斜視図である。本実施の形態では、電子機器の一例として、一眼デザインのカメラの構成について、説明するが、本発明に係る電子機器は、一眼カメラに限られるものではない。本発明は、バッテリが設けられている電子機器、特に携帯型の電子機器に適用可能である。
【００１１】
（全体構成）
図１（ａ）及び図１（ｄ）等に示すように、カメラは、カメラ本体１０と、バッテリ２０と、バッテリカバー３０とを備えている。カメラ本体１０は、レンズユニット１２と、表示部１３、操作部１４とを備えている。なお、以下の説明において、カメラ本体１０のレンズユニット１２が設けられた側を前面側とし、表示部１３が設けられた側を背面側としている。よって、図１（ａ）、図１（ｃ）、図１（ｄ）、及び図１（ｅ）は、デジタルカメラを前面上側から見た斜視図であり、図１（ｂ）は、背面下側から見た斜視図である。なお、以下の説明において、左右方向、上下方向、前後方向は、図１で示したカメラを基準とする方向である。すなわち、左右方向は、カメラの左右方向に対応し、上下方向は、カメラの上下方向に対応し、前後方向は、カメラの前後方向に対応している。但し、以下の説明での前後、左右、上下方向は、説明を明瞭にするために定義するものであり、カメラの向き等によって変わる。
【００１２】
レンズユニット１２は、ほぼ円柱形状を有しており、前面側に延びている。レンズユニット１２は、カメラ本体１０に内蔵された撮像素子に外部からの光を導くためのレンズ等を有している。撮像素子は、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサやＣＣＤ（Ｃｈａｒｇｅｄ  Ｃｏｕｐｌｅｄ  Ｄｅｖｉｃｅ）センサ等を有しており、静止画、又は動画、あるいはその両方を撮像する。撮像素子で撮像された画像が、カメラ本体１０に内蔵された内蔵メモリ、あるいは外部メモリ等に記憶される。また、カメラ本体１０の背面側には、表示部１３が設けられている（図１（ｂ）参照）。表示部１３は、ＬＣＤ（Ｌｉｑｕｉｄ  Ｃｒｙｓｔａｌ  Ｄｉｓｐｌａｙ）パネルなどの表示パネルを備え、撮像素子で撮像された画像や、撮像に関する情報等を表示する。
【００１３】
カメラ本体１０の背面側において、表示部１３の隣には、操作部１４が設けられている。操作部１４は、シャッタボタン、ズームボタン、メニューボタン、調整ダイヤル等の入力手段を備えている。ユーザがこの操作部１４を操作することで、撮像、表示等が行われる。なお、操作部１４の構成及び配置は、特に限定されるものではなく、一部、又は全部がカメラ本体１０の上面や側面に設けられていても良い。さらに、表示部１３がタッチパネルである場合、操作部１４の操作ボタン等を省略することができる。
【００１４】
また、カメラ本体１０の前面側には、バッテリ収納部１１が設けられている。ここでは、カメラの前面側から見て、レンズユニット１２の左側に、バッテリ収納部１１が設けられている。バッテリ収納部１１は、操作部１４の前面側に配置されている。図１（ｄ）に示すように、バッテリ収納部１１は、ほぼ直方体状のバッテリ２０を収納している。従って、図１（ｅ）に示すように、カメラ本体１０のバッテリ収納部１１には、バッテリ２０の大きさに応じた空間が設けられている。さらに、図１（ｃ）に示すように、バッテリ収納部１１に収納されたバッテリ２０を覆うバッテリカバー３０がカメラ本体１０に取り付けられる。バッテリカバー３０は、バッテリ２０の前面と下面をカバーしている。そして、バッテリ２０から供給される電源によって、上述した表示部１３、操作部１４、撮像素子等が駆動する。また、本実施の形態では、操作部１４の前面側に配置されるバッテリ２０をバッテリカバー３０でカバーしている。このため、ユーザが操作部１４の周辺を持ちやすくなる。よって、操作部１４での操作性を向上することができる。
【００１５】
次に、バッテリ２０を取り外す動作に付いて、説明する。図１（ａ）では、バッテリ２０及びバッテリ２０を保持するバッテリカバー３０が取り付けられている状態を示している。この状態から、バッテリカバー３０を取り外す。このため、図１（ｂ）に示すように、バッテリカバー３０の底面に設けられたノブ３１をユーザがスライドさせる。これにより、バッテリカバー３０のロックが解除される。ロックを解除した後、図１（ｃ）の矢印に示すように、バッテリカバー３０を下側にスライドさせる。これにより、バッテリカバー３０が取り外され、バッテリ収納部１１に収納されていたバッテリ２０が露出する（図１（ｄ）参照）。
【００１６】
そして、ユーザが、バッテリ２０をカメラ本体１０から取り外す。そのため、図１（ｄ）の矢印に示すように、バッテリ２０を下側にスライドさせた後、バッテリ２０を前面側から取り出す。これにより、バッテリ２０がバッテリ収納部１１から取り出される。よって、バッテリ収納部１１内の空間が開放される。また、バッテリ２０及びバッテリカバー３０を取り付ける場合、上記と反対の手順を行う。すなわち、前側からバッテリ２０をバッテリ収納部１１に入れた後、上方向にスライドさせる。バッテリ２０を取り付けた後、バッテリカバー３０を上方向にスライドさせて、バッテリカバー３０を取り付ける。
【００１７】
（バッテリカバー３０の構成）
次に、バッテリカバー３０の構成について、図２を用いて説明する。図２は、バッテリカバー３０を背面上方から示す斜視図である。従って、図２は、バッテリカバー３０のバッテリ２０側の構成が示されている。バッテリカバー３０は、側面カバー部３２と、下面カバー部３３とを備えている。側面カバー部３２は、バッテリ２０の前側に配置されて、バッテリ２０の前側の側面を覆う。下面カバー部３３は、バッテリ２０の下側に配置されて、バッテリ２０の下面（底面）を覆う。下面カバー部３３は、側面カバー部３２の下端から紙面手前方向に延びている。従って、カメラに取り付ける配置において、カメラの右側面方向から見た場合、バッテリカバー３０は、バッテリ２０の前側の側面と下面とを覆うようＬ字型になっている。
【００１８】
また、本実施の形態では、側面カバー部３２が、バッテリ２０の左右の側面の一部にかかるよう、側面カバー部３２の端部が背面側に向かって湾曲している。側面カバー部３２は、バッテリ２０の側面の大部分を覆う。例えば、側面カバー部３２は、後述するバッテリ２０の端子接触部よりも高い位置までカバーしている。なお、下面カバー部３３と側面カバー部３２とは、一体的に形成されたものでもよく、別々に形成されたものでもよい。下面カバー部３３と側面カバー部３２とを別々に形成した場合、連結箇所に嵌合部等を設けることで、下面カバー部３３と側面カバー部３２とを取り付けることができる。
【００１９】
下面カバー部３３には、２つの第１の係止部３４と、２つの第２の係止部３５が設けられている。第２の係止部３５は、下面カバー部３３の背面側に配置されている。２つの第２の係止部３５が、左右に並んで配置されている。第１の係止部３４は、下面カバー部３３の左右両端に配置されている。側面カバー部３２には、２つの第３の係止部３６と、２つの第４の係止部３７が設けられている。そして、第３の係止部３６、及び第４の係止部３７は、それぞれ、側面カバー部３２の左右両端に配置されている。第３の係止部３６、及び第４の係止部３７は上下に並んで配置されている。
【００２０】
第１の係止部３４、第２の係止部３５、第３の係止部３６、及び第４の係止部３７は、カメラ本体１０に設けられた相手方の係止片と係止するための凹部、又は凸部を有している。なお、図２では図示していないが、下面カバー部３３の下側には、図１で示したノブ３１が設けられている。また、ノブ３１、第２の係止部３５、及び第１の係止部３４は、後述する係止機構の一部である。係止機構は、皿状の下面カバー部３３内に配置されるなお、係止機構は、下面カバー部３３に取り付けられたカバープレート３８によって覆われているため、図２では、その大部分が図示されていない。
【００２１】
（バッテリ２０の構成）
次に、バッテリ２０の構成に付いて、図３を用いて説明する。図３（ａ）〜図３（ｄ）は、それぞれ、バッテリを左側、前側、右側、背面側から見たバッテリ２０の平面図である。図３に示すように、バッテリ２０は、ほぼ直方体形状を有している。従って、バッテリ２０は、４つの側面（２０ａ、２０ｂ、２０ｃ、２０ｄ）と、上面２０ｅと、下面２０ｆとを備えている。なお、ここで、カメラ本体１０にバッテリ２０を取り付けた場合に、カメラの背面側に配置される側面を背面２０ａとして説明する。バッテリ２０の背面２０ａが、端子接触部２１を備える端子形成面となる。また、カメラを正面から見た場合に、左側に配置される側面を左側面２０ｂとし、右側に配置される側面を右側面２０ｃとし、背面２０ａと対向する反対側の側面（前面）を対向側面２０ｄとする。
【００２２】
背面２０ａに設けられた端子接触部２１は、正負の電源端子等であり、カメラ本体１０側の電源端子と接触する。なお、図３では、４つの端子接触部２１が設けられている例を示しているが、端子接触部２１の数は特に限定されるものではない。全ての端子接触部２１が、バッテリ２０の一側面（背面２０ａ）のみに配置されている。すなわち、バッテリ２０の背面２０ａ以外の左側面２０ｂ、右側面２０ｃ、対向側面２０ｄと、下面２０ｆと、上面２０ｅには、端子接触部２１が設けられていない。
【００２３】
バッテリ２０には、第５の係止部２３、第６の係止部２４、第７の係止部２５、及び第８の係止部２６が設けられている。第５の係止部２３、第６の係止部２４、第７の係止部２５、及び第８の係止部２６は、カメラ本体１０に設けられた相手方の係止片と係止するための凹部、又は凸部を有している。第５の係止部２３は、バッテリ２０の背面２０ａの下端に設けられている。第５の係止部２３は、左右方向における背面２０ａの中央近傍に配置されている。
【００２４】
第６の係止部２４、第７の係止部２５、及び第８の係止部２６は、左側面２０ｂと右側面２０ｃに設けられている。ここでは、２つの第６の係止部２４が左右対称に配置されている。同様に２つの第７の係止部２５、及び第８の係止部２６が左右対称に配置されている。第６の係止部２４、第７の係止部２５、及び第８の係止部２６は、背面２０ａ側に配置されている。第６の係止部２４、第７の係止部２５、及び第８の係止部２６は、上下に並んで配置されている。なお、バッテリ２０は、例えば、外部の充電器に装着されることで、充電が行われる。
【００２５】
（バッテリ収納部１１の構成）
次に、カメラ本体１０に設けられたバッテリ収納部１１の構成に付いて、図４、及び図５を用いて説明する。図４は、カメラ本体１０の構成を示す斜視図である。図５は、バッテリ収納部１１の背面部１１ａの一部構成を示す正面図である。なお、図４では、説明の明確化のため、カメラ本体１０からレンズユニット１２を取り外した状態を示している。
【００２６】
図４に示すように、バッテリ収納部１１は、バッテリ２０の背面２０ａ側に配置される背面部１１ａと、バッテリ２０の左側面２０ｂ側に配置される左側面部１１ｂと、バッテリ２０の右側面２０ｃ側に配置される右側面部１１ｃと、バッテリ２０の上面２０ｅ側に配置される上面部１１ｅを備えている。背面部１１ａがバッテリ２０の背面２０ａと対向して配置され、左側面部１１ｂがバッテリ２０の左側面２０ｂと対向して配置され、右側面部１１ｃがバッテリ２０の右側面２０ｃと対向して配置され、上面部１１ｅがバッテリ２０の上面２０ｅと対向して配置される。左側面部１１ｂ、右側面部１１ｃ、上面部１１ｅは、背面部１１ａから前面側に延設されている。そして、左側面部１１ｂ、右側面部１１ｃ、上面部１１ｅ、及び背面部１１ａによって規定された空間にバッテリ２０が配設される。カメラ本体１０によって、バッテリ２０の背面２０ａ、左側面２０ｂ、右側面２０ｃ、及び上面２０ｅが覆われる。また、カメラ本体１０では、バッテリ２０の対向側面２０ｄ側と、下面２０ｆ側が開放しており、この開放部分からバッテリカバー３０が取り付けられる。カメラ本体１０に取り付けられたバッテリ２０の全体が、カメラ本体１０と、バッテリカバー３０によって、覆われる。
【００２７】
背面部１１ａには、第２の係止片４２と、第５の係止片５１と、第６の係止片５２と、第７の係止片５３と、第８の係止片５４と、が設けられている（図５も合わせて参照）。左側面部１１ｂ、右側面部１１ｃのそれぞれには、第１の係止片４１と、第３の係止片４３と、第４の係止片４４とが設けられている。図５に示すように、第６の係止片５２、第７の係止片５３、第８の係止片５４は、それぞれ２つずつ設けられている。第６の係止片５２、第７の係止片５３、第８の係止片５４は、バッテリ２０の左右両側に配置される。第６の係止片５２、第７の係止片５３、第８の係止片５４のそれぞれは、バッテリ２０の上下方向の中心線を挟んで、左右対称に配置されている。第２の係止片４２、第１の係止片４１、第３の係止片４３、第４の係止片４４は、それぞれ２つずつ設けられており、バッテリ２０の左右両側に配置されている。第２の係止片４２、第１の係止片４１、第３の係止片４３、第４の係止片４４のそれぞれは、バッテリ２０の上下方向の中心線を挟んで、左右対称に配置されている。
【００２８】
第１の係止片４１と、第２の係止片４２と、第３の係止片４３と、第４の係止片４４とは、バッテリカバー３０を係止するために設けられている。第１の係止片４１は第１の係止部３４と係止し、第２の係止片４２は第２の係止部３５と係止し、第３の係止片４３は第３の係止部３６と係止し、第４の係止片４４は第４の係止部３７と係止する。そのため、第２の係止片４２、第１の係止片４１、第３の係止片４３、及び第４の係止片４４も、相手方の係止部に応じた形状となっている。
【００２９】
第５の係止片５１と、第６の係止片５２と、第７の係止片５３と、第８の係止片５４とは、バッテリ２０を係止するために設けられている。第５の係止片５１は第５の係止部２３と係止し、第６の係止片５２は第６の係止部２４と係止し、第７の係止片５３は第７の係止部２５と係止し、第８の係止片５４は第８の係止部２６と係止する。そのため、第５の係止片５１と、第６の係止片５２と、第７の係止片５３と、第８の係止片５４とは、相手方の係止部に応じた形状になっている。例えば、ある係止片が凸部であるとすると、対応する係止部が凹部となっている。そして、凸部に凹部が挿入されることで、対応する係止部と係止片が係止する。
【００３０】
さらに、背面部１１ａには、電源端子部１１ｈが設けられている（図５参照）。電源端子部１１ｈの各端子１１ｉは、バッテリ２０の端子接触部２１と接触する。これにより、バッテリ２０からの電源が供給される。例えば、電源端子部１１ｈの各端子１１ｉは、背面側から、バネ等によってバッテリ２０に付勢されている。なお、バッテリ２０の全ての端子接触部２１と接触する端子１１ｉが背面部１１ａに設けられた電源端子部１１ｈに配置されている。電源端子部１１は、第８の係止片５４と第７の係止片５３の間の高さに配置されている。
【００３１】
（バッテリ２０の着脱）
次に、バッテリ２０を係止して、カメラ本体１０に着脱するための構成について説明する。上記のように、バッテリ２０は、第５の係止片５１、第６の係止片５２、第７の係止片５３、第８の係止片５４によって係止され、カメラ本体１０に固定される。
【００３２】
図６に示すように、第６の係止片５２、第７の係止片５３、第８の係止片５４は、下側に突出している。なお、図６は、図５のＶＩ−ＶＩ断面図である。第６の係止片５２、第７の係止片５３、第８の係止片５４は、上下に並んで配置されている。そして、第６の係止部２４、第７の係止部２５、及び第８の係止部２６は、第６の係止片５２、第７の係止片５３、第８の係止片５４の凸部に応じた凹部を形成している。凸部が凹部に挿入されることで、対応する係止片と係止部が係止する。これにより、バッテリ２０の前方向（図６中の右方向）への移動が規制される。
【００３３】
また、図４に示すように、第５の係止片５１は、背面部１１ａの下端中央に設けられている。そして、図７に示すように、第５の係止片５１は、背面部１１ａから前面側に突出している。なお、図７は、カメラ本体１０の下面図である。第５の係止片５１は、バッテリ２０の下側への移動を規制する。なお、第５の係止片５１と第５の係止部２３を、前側への移動を規制できる形状にしてもよい。
【００３４】
バッテリ２０をカメラ本体１０から取り外す場合、ユーザが第５の係止片５１に力を加える。これにより、第５の係止片５１の係止が解除され、バッテリ２０が下方向に移動可能になる。バッテリ２０をある一定距離以上、下方向に移動させると、第６の係止片５２、第７の係止片５３、及び第８の係止片５４の係止が解除する。すなわち、第６の係止片５２、第７の係止片５３、及び第８の係止片５４の凸部が、第６の係止部２４、第７の係止部２５、第８の係止部２６の凹部から離れる。これにより、バッテリ２０が前方向に移動可能になる。このように、バッテリ２０を下側にスライド移動させることで、バッテリ２０を前側に取り出すことができるようになる。
【００３５】
なお、バッテリ２０をカメラ本体１０に取り付ける場合、前側からバッテリ２０をバッテリ収納部１１まで移動させて、バッテリ２０の背面２０ａと、バッテリ収納部１１の背面部１１ａを当接させる。そして、バッテリ２０を上方向にスライドさせる。これにより、バッテリ２０が第６の係止片５２、第７の係止片５３、第８の係止片５４と係止して、バッテリ２０の前側への動きが規制される。そして、所定の装着位置まで、バッテリ２０をスライド移動させた後で、ユーザが第５の係止片５１に力を加える。これにより、第５の係止片５１がバッテリ２０を係止して、バッテリ２０がカメラ本体１０に固定される。このようにして、バッテリ２０がカメラ本体１０に装着される。カメラ本体１０の前面側及び下面側が開放しているため、バッテリ２０の着脱を容易に行うことができる。バッテリ２０がカメラ本体１０と係止され、固定される構成となっている。よって、バッテリカバー３０を取り外したとしても、バッテリ２０が脱落しない。
【００３６】
（バッテリカバー３０の着脱）
次に、バッテリカバー３０を係止して、カメラ本体１０に着脱するための構成について説明する。図８に示すように、第３の係止片４３、及び第４の係止片４４は、下側に突出している。なお、図８は、カメラ本体１０の一部構成を示す左側面図である。第３の係止片４３、及び第４の係止片４４は、上下に並んで配置されている。また、相手方の第３の係止部３６、第４の係止部３７は、第３の係止片４３、及び第４の係止片４４の凸部に応じた凹部を有している。凸部が凹部に挿入されることで、対応する係止片と係止部が係止する。これにより、バッテリカバー３０の前方向（図８中の右方向）への移動が規制される。
【００３７】
第２の係止片４２と第１の係止片４１とは、係止機構によって、前後方向にスライド移動する。第２の係止片４２と第１の係止片４１により、カメラ本体１０に対するバッテリカバー３０の下方向の移動が規制される。以下に、第２の係止部３５と第１の係止部３４が設けられている係止機構６０の構成について、図９を用いて説明する。図９は、係止機構６０の構成を示す上面図である。図９に示すように、下面カバー部３３内に、係止機構６０が配置されている。係止機構６０は、第２の係止部３５と、第１の係止部３４と、ガイド穴６４と、バネ受け６５と、移動プレート６６と、トーションスプリング６８とを備えている。なお、図９での矢印方向が、カメラの後方向になっている。
【００３８】
移動プレート６６は、側面カバー部３２に対して、前後方向にスライド可能に取り付けられている。移動プレート６６からは、第１の係止部３４、第２の係止部３５が上方向に延設されている。さらに、移動プレート６６には、ガイド穴６４が設けられている。ガイド穴６４は、前後方向を長手方向とする長穴である。ガイド穴６４には、下面カバー部３３に設けられたガイドピン３９が挿入されている。ガイド穴６４の中のガイドピン３９によってガイドされて、移動プレート６６が前後方向にスライド移動する。
【００３９】
移動プレート６６の前端には、バネ受け６５が設けられている。さらに、下面カバー部３３には、バネ受け３８が設けられている。バネ受け３８とバネ受け６５とには、トーションスプリング６８が取り付けられている。トーションスプリング６８は、２つの巻き線部６８ａを有している。バネ受け３８とバネ受け６５との間に、トーションスプリング６８を設けることによって、移動プレート６６が矢印方向に付勢される。そして、移動プレート６６が、ストッパ（例えば、ガイド穴６４の縁）と接触して、停止する。
【００４０】
なお、移動プレート６６は、下面カバー部３３の中心を前後方向に通る中心線（図９中の点線）に対して、ほぼ左右対称になっている。第２の係止部３５、第１の係止部３４、ガイド穴６４、バネ受け６５は、それぞれ２つずつ設けられている。２つの第２の係止部３５は、中心線を挟んで、左右対称に配置されている。同様に、第１の係止部３４、ガイド穴６４、バネ受け６５も、中心線を挟んで、左右対称に配置されている。また、下面カバー部３３に設けられた２つのバネ受け３８も、中心線を挟んで、左右対称に配置されている。１つのトーションスプリング６８が左右対称な形状になっている。具体的には、トーションスプリング６８の２つの巻き線部６８ａは、中心線を挟んで、対称に配置される。巻き線部６８ａの巻き軸は、上下方向に沿って配置されている。トーションスプリング６８の両端は、それぞれバネ受け６５に取り付けられている。一方、２つの巻き線部６８ａの間の箇所で、トーションスプリング６８が、２つのバネ受け３８に取り付けられている。トーションスプリング６８の弾性力が、バネ受け３８とバネ受け６５との間に発生する。このようなトーションスプリング６８を設けることで、係止機構６０の薄型化、小型化、軽量化を図ることができる。
【００４１】
また、移動プレート６６には、係止を解除するためのノブ３１が設けられている。例えば、ノブ３１は、２つのガイド穴６４の中間に配置されている。ノブ３１は、下側に突出しており、下面カバー部３３の下側に露出している（図１（ｂ）も合わせて参照）。これにより、バッテリカバー３０をカメラ本体１０に取り付けた状態で、ユーザがノブ３１に力を与えることができる。ノブ３１を前側に動かすことで、移動プレート６６が移動する。すなわち、ユーザがトーションスプリング６８の弾性力と反対方向の力を与えることで、トーションスプリング６８が収縮する。これにより、移動プレート６６に設けられた第２の係止部３５、第１の係止部３４が前方向（矢印方向と反対方向）に移動する。
【００４２】
次に、係止機構６０の係止動作について、を用いて説明する。図１０（ａ）〜図１０（ｄ）は、係止機構６０の係止動作を模式的に示す側面図である。なお、図１０では、説明の簡略化のため、一部の構成に付いて、省略して図示している。例えば、第１の係止片４１、及び第２の係止片４２を固定している側面カバー部３２、下面カバー部３３が省略されている。図１０では、上下方向が、カメラの上下方向である。また、図１０の左右方向が、カメラの前後方向に相当する。図９で示したトーションスプリング６８の弾性力が、矢印Ａの方向に、発生している。移動プレート６６に設けられた第２の係止部３５、第１の係止部３４が、矢印Ａの方向に付勢されている。なお、矢印Ａの方向は上記の通り、カメラの前側から後側に向かう方向である。
【００４３】
図１０（ａ）に示すように、第２の係止部３５、第１の係止部３４は、移動プレート６６から、上方に突出している。そして、第１の係止部３４の上端には、後側に突出した第１のツメ部３４ａが設けられている。同様に、第２の係止部３５の上端には、後側に突出した第２のツメ部３５ａが設けられている。第１の係止片４１には、第１のツメ部３４ａに対応する第１の凹部４１ａが設けられている。第２の係止片４２には、第２のツメ部３５ａに対応する第２の凹部４２ａが設けられている。第１のツメ部３４ａの上側には傾斜面３４ｂが設けられている。同様に、第１の係止片４１の下面の一部は、傾斜面４１ｂとなっている。具体的には、上から下に向かうにつれて、後側（図１０中の右側）になるような傾斜面３４ｂ、傾斜面４１ｂが設けられている。第１のツメ部３４ａの傾斜面３４ｂと第１の係止片４１の傾斜面４１ｂとは、平行になっている。
【００４４】
バッテリカバー３０が取り外されている状態では、図１０（ａ）に示すように、第２の係止部３５、及び第１の係止部３４がそれぞれ、第２の係止片４２、及び第１の係止片４１から離間している。バッテリカバー３０を所定の位置から上方向（白抜き矢印方向）に移動させると、図１０（ｂ）に示すように、第１の係止片４１と第１の係止部３４が当接する。具体的には、第１のツメ部３４ａの傾斜面３４ｂと第１の係止片４１の傾斜面４１ｂが当接する。
【００４５】
図１０（ｂ）に示す状態から、さらにバッテリカバー３０に上方向に移動させていくと、第１の係止部３４が傾斜面４１ｂに沿ってスライドする。すなわち、バッテリカバー３０を移動させるための上方向の力が、傾斜面４１ｂによって、前方向の力に変換される。トーションスプリング６８の後方向（矢印Ａの方向）の弾性力に逆らって、移動プレート６６が前側（矢印Ａと反対方向）に移動する。従って、傾斜面３４ｂと傾斜面４１ｂが接触している間は、バッテリカバー３０を上方向に移動するにつれて、トーションスプリング６８が収縮していく。
【００４６】
さらに、バッテリカバー３０を上方向に移動させて、第１のツメ部３４ａを第１の凹部４１ａに挿入可能な高さまで移動させると、図１０（ｃ）に示すようになる。この状態では、傾斜面３４ｂと傾斜面４１ｂが離間する。従って、トーションスプリング６８の弾性力によって、移動プレート６６が右側に移動する。これにより、図１０（ｄ）に示すように、第１のツメ部３４ａが第１の凹部４１ａに挿入する。第１の係止片４１と第１の係止部３４が係止する。さらに、第１のツメ部３４ａの係止動作と連動して、第２のツメ部３５ａが第２の凹部４２ａに挿入する。これにより、図１０（ｄ）に示すように、第２の係止片４２と第２の係止部３５が係止する。
【００４７】
第１の係止部３４と第２の係止部３５と移動プレート６６が一体的に形成されているため、第１の係止部３４が第２の係止部３５と同じ方向に同じ距離だけ、前後移動する。換言すると、スライド移動中に、第１の係止部３４が第１の係止片４１と当接して、前側に移動するメインロックとなり、第２の係止部３５が第１の係止部３４に連動して動作するサブロックとなる。このように係止機構６０が係止動作を行うことで、バッテリカバー３０がカメラ本体１０に係止する。また、バッテリカバー３０を上方向に移動させている間、第２の係止部３５が第２の係止片４２と接触しない構成となっている。これにより、スライド中に生じる摩擦を低減することができる。よって、弱い力でも、速やかな動作が可能になる。
【００４８】
なお、バッテリカバー３０をカメラ本体１０から取り外す場合、上記と逆の順、すなわち、図１０（ｄ）、図１０（ｃ）、図１０（ｂ）、図１０（ａ）の順で動作する。具体的には、図１０（ｄ）に示す係止状態から、ユーザがノブ３１を前側にスライドさせる。これにより、移動プレート６６が左方向にスライドして、図１０（ｃ）に示す構成となる。この状態では、第２のツメ部３５ａが第２の凹部４２ａの外側に出ており、かつ第１のツメ部３４ａが第１の凹部４１ａの外側に出ている。従って、係止機構６０の係止が解除され、バッテリカバー３０が下方向にスライド可能になる。図１０（ｃ）に示す状態で、ユーザがバッテリカバー３０を下方向に移動すると、図１０（ｂ）に示すようになる。係止機構６０の係止を解除して、下方向にスライドさせている間は、傾斜面３４ｂと傾斜面４１ｂとが接触している。よって、ユーザがバッテリカバー３０に前方向の力を与えてなくても、第１のツメ部３４ａと第２のツメ部３５ａがそれぞれ、第１の凹部４１ａと第２の凹部４２ａに挿入されない。また、トーションスプリング６８により移動プレート６６が後側に付勢されている。よって、傾斜面３４ｂと傾斜面４１ｂが当接した状態で、第１の係止部３４が傾斜面４１ｂに沿ってスライドしていく。さらに、ユーザが、バッテリカバー３０を下方向に移動させると、図１０（ａ）に示す状態となり、バッテリカバー３０をカメラ本体１０から取り外すことができる。
【００４９】
また、本実施の形態では、下面カバー部３３と側面カバー部３２の材料として、例えば、ガラス入り樹脂、より具体的には、ガラスを含むＰＣ（ポリカーボネイト）樹脂を用いることができる。このようにすることで、軽量、かつ高剛性のバッテリカバー３０を実現することができる。ここでは、ガラスを２０％含有したＰＣ樹脂を用いている。さらに、第１〜第８の係止部及び係止片の一部または全部の材料として、高摺動性の樹脂、より具体的には、ＰＯＭ（ポリアセタール）樹脂を用いることができる。相手方の係止片又は係止部と接触する部分にＰＯＭ（ポリアセタール）樹脂を用いることで、摺動性、及び耐久性を向上することができる。また、上記の材料に限らず、公知のＡＢＳ（ａｃｒｙｌｏｎｉｔｒｉｌｅ  ｂｕｔａｄｉｅｎｅ  ｓｔｙｒｅｎｅ）樹脂、又はポリカＡＢＳ樹脂を用いても良い。
【００５０】
本実施形態では、２つの第１の係止部３４と、２つの第２の係止部３５とで、バッテリカバー３０の下方向の移動を規制している。すなわち、バッテリカバー３０のスライド移動と反対方向の移動を規制する係止部が４箇所設けられている。同様に、２つの第３の係止部３６と、２つの第４の係止部３７とで、バッテリカバー３０の前方向の動作を規制している。このようにすることで、カメラ本体１０に対してバッテリカバー３０を確実に固定することができる。もちろん、これら以外の係止部をさらに設けることも可能である。
【００５１】
上記のように、本実施形態では、バッテリカバー３０が、カメラ本体１０に取り付けられたバッテリ２０の、端子接触部２１が設けられた背面２０ａと対向する対向側面２０ｄと、背面２０ａ及び対向側面２０ｄの間の下面２０ｆと、を覆っている。端子接触部２１が一側面（背面２０ａ）に設けられたバッテリ２０を容易にカバーすることができる。よって、使用中のバッテリの脱落や、バッテリの損傷等を防止することができる。さらに、バッテリカバー３０のデザインによっては、意匠性を高めることができる。
【００５２】
また、上記の係止機構６０を用いることで、確実かつ簡便にバッテリカバー３０を取り付けることができる。例えば、上記の係止機構６０では、スライド移動中にカメラ本体１０と当接することで第１の方向（前方向）に移動する第１の係止部３４と、第１の係止部３４の第１の方向の移動に連動する第２の係止部３５と、を備えている。第１の係止部３４と、第２の係止部３５が、第１の方向と反対方向に突出する第１のツメ部３４ａ、第２のツメ部３５ａを備えている。これにより、上方向にバッテリカバー３０をスライド移動させるだけで、前後方向の係止動作を行うことができる。よって、下方向への移動が規制され、簡便かつ確実にバッテリカバー３０を取り付けることができる。
【００５３】
また、第１の係止部３４及び第２の係止部３５のそれぞれが、２つ設けられている。２つの第２の係止部３５が、２つの第１の係止部３４と連動して、第１の方向に移動する。２つの第１の係止部３４と、２つの第２の係止部３５が、第１の方向に移動した後、第１の方向と反対方向に移動する。こうすることで、第１のツメ部３４ａと第２のツメ部３５ａが、第１の凹部４１ａ及び第２の凹部４２ａにそれぞれ挿入される。第１の係止部３４、及び第２の係止部３５がそれぞれ第１の係止片４１、及び第２の係止片４２と係止するため、確実にバッテリカバー３０を取り付けることができる。
【００５４】
第１の係止部３４と第２の係止部３５とを第１の方向と反対方向（後方向）に付勢するトーションスプリング６８が設けられている。これにより、バッテリカバー３０を小型にすることができる。本実施の形態では、バッテリカバー３０には、バッテリ２０の対向側面２０ｄを覆う側面カバー部３２が設けられている。そして、側面カバー部３２には、カメラ本体１０に対するバッテリカバー３０の第１の方向の動きを規制する第３の係止部３６と第４の係止部３７が設ける。そして、第３の係止部３６と第４の係止部３７が、スライド移動方向に並んで配置されている。第３の係止部３６と第４の係止部３７が、それぞれ、第３の係止片４３と第４の係止片４４と係止することで、バッテリカバー３０を確実かつ容易に装着することができる。
【００５５】
係止機構６０が、バッテリ２０の下面を覆う下面カバー部３３に取り付けられていてもよい。こうすることで、薄型化を図ることができる。係止機構６０には、第１の係止部３４と第２の係止部３５の係止を開放するノブ３１が設けられていてもよい。こうすることで、簡便に係止を開放することができる。上記のバッテリカバー３０により、端子接触部２１が一側面に設けられているバッテリ２０をカバーすることができる。さらに、上記のバッテリカバー３０は、カメラ本体１０と係止して、固定されるバッテリ２０のバッテリカバー３０に好適である。
【００５６】
なお、上記の説明では、ユーザがバッテリ２０、バッテリカバー３０を移動させることで、取り付けを行ったが、カメラ本体１０に対してバッテリ２０、及びバッテリカバー３０を相対的に移動させるものであればよい。例えば、バッテリ２０を取り付ける際、バッテリ２０に対してカメラ本体１０を移動させても良く、さらには、カメラ本体１０とバッテリ２０の両方を近づけるように移動させても良い。上記の説明では、トーションスプリング６８を用いて、弾性力を発生させたが、その他の弾性部材を用いてもよい。さらには、第１の係止部３４、第２の係止部３５、第１の係止片４１、第２の係止片４２が、弾性を有する樹脂部材等で形成されていても良い。
【符号の説明】
【００５７】
１０  カメラ本体
１１  バッテリ収納部
１１ａ  背面部
１１ｂ  左側面部
１１ｃ  右側面部
１１ｅ  上面部
１１ｈ  電源端子部
１１ｉ  端子
１２  レンズユニット
１３  表示部
１４  操作部
２０  バッテリ
２０ａ  背面
２０ｂ  左側面
２０ｃ  右側面
２０ｄ  対向側面
２０ｅ  上面
２０ｆ  下面
２１  端子接触部
２３  第５の係止部
２４  第６の係止部
２５  第７の係止部
２６  第８の係止部
３０  バッテリカバー
３１  ノブ
３２  側面カバー部
３３  下面カバー部
３４  第１の係止部
３４ａ  第１のツメ部
３５  第２の係止部
３５ａ  第１のツメ部
３６  第３の係止部
３７  第４の係止部
３８  バネ受け
３９  ガイドピン
４１  第１の係止片
４１ａ  第１の凹部
４１ｂ  傾斜面
４２  第２の係止片
４２ａ  第２の凹部
４３  第３の係止片
４４  第４の係止片
５１  第５の係止片
５２  第６の係止片
５３  第７の係止片
５４  第８の係止片
６０  係止機構
６３  バネ受け
６４  ガイド穴
６５  バネ受け
６６  移動プレート
６８  トーションスプリング
６８  巻き線部
６９  カバープレート
【図１】
0005556688.tif 000002
【図２】
0005556688.tif 000003
【図３】
0005556688.tif 000004
【図４】
0005556688.tif 000005
【図５】
0005556688.tif 000006
【図６】
0005556688.tif 000007
【図７】
0005556688.tif 000008
【図８】
0005556688.tif 000009
【図９】
0005556688.tif 000010
【図１０】
0005556688.tif 000011